(57)【要約】  【課題】コンプレッサ出口締付具１１の締め付け力が低下しにくい、エンジンの過給装置を提供する。  【解決手段】過給機２のコンプレッサハウジング３に設けられたコンプレッサ出口パイプ４と、インタークーラに設けられたクーラ入口パイプと、コンプレッサ出口パイプ４からクーラ入口パイプに圧縮空気８を案内する圧縮空気案内ホース９と、コンプレッサ出口パイプ４の外周に圧縮空気案内ホース９の一端部１０を締め付けて固定するベルト状のコンプレッサ出口締付具１１を備え、直管のコンプレッサ出口パイプ４の外周側にコンプレッサ出口パイプ４と直交する向きのコンプレッサ出口ホース受面４ａを備え、コンプレッサ出口パイプ４に嵌められた圧縮空気案内ホース９の一端部１０と直交するこの一端部１０の端面１０ａがコンプレッサ出口ホース受面４ａで受け止められている。【選択図】    図１
2019044665.tif 000002
【特許請求の範囲】
【請求項１】
過給機(２)のコンプレッサハウジング(３)に設けられたコンプレッサ出口パイプ(４)と、インタークーラ(６)に設けられたクーラ入口パイプ(７)と、コンプレッサ出口パイプ(４)からクーラ入口パイプ(７)に圧縮空気(８)を案内する圧縮空気案内ホース(９)と、コンプレッサ出口パイプ(４)の外周に圧縮空気案内ホース(９)の一端部(１０)を締め付けて固定するベルト状のコンプレッサ出口締付具(１１)を備え、
直管のコンプレッサ出口パイプ(４)の外周側にコンプレッサ出口パイプ(４)と直交する向きのコンプレッサ出口ホース受面(４ａ)を備え、コンプレッサ出口パイプ(４)に嵌められた圧縮空気案内ホース(９)の一端部(１０)と直交するこの一端部(１０)の端面(１０ａ)がコンプレッサ出口ホース受面(４ａ)で受け止められている、ことを特徴とするエンジンの過給装置。
【請求項２】
請求項１に記載されたエンジンの過給装置において、
コンプレッサ出口ホース受面(４ａ)に圧縮空気案内ホース(９)の一端部(１０)の端面(１０ａ)が全周に亘って受け止められている、ことを特徴とするエンジンの過給装置。
【請求項３】
請求項１に記載されたエンジンの過給装置において、
コンプレッサ出口パイプ(４)の周方向に所定間隔を介して分離された複数のコンプレッサ出口ホース受面(４ａ)に、圧縮空気案内ホース(９)の一端部(１０)の端面(１０ａ)の複数箇所が受け止められている、ことを特徴とするエンジンの過給装置。
【請求項４】
請求項１から請求項３のいずれかに記載されたエンジンの過給装置において、  コンプレッサ出口パイプ(４)の外周側に設けられたコンプレッサ出口フランジ(４ｂ)にコンプレッサ出口ホース受面(４ａ)が形成されている、ことを特徴とするエンジンの過給装置。
【発明の詳細な説明】
【技術分野】
【０００１】
本発明は、エンジンの過給装置に関し、詳しくは、コンプレッサ出口締結具の締め付け力が低下しにくい、エンジンの過給装置に関する。
【背景技術】
【０００２】
従来、エンジンの過給装置として、過給機のコンプレッサハウジングに設けられたコンプレッサ出口パイプと、インタークーラに設けられたクーラ入口パイプと、コンプレッサ出口パイプからクーラ入口パイプに圧縮空気を案内する圧縮空気案内ホースと、コンプレッサ出口パイプの外周に圧縮空気案内ホースの一端部を締め付けて固定するベルト状のコンプレッサ出口締付具を備えたものがある (例えば、特許文献１参照)。
【０００３】
この種の装置によれば、コンプレッサハウジングで昇温した圧縮空気をインタークーラで冷却し、過給効率を高めることができる利点がある。
【先行技術文献】
【特許文献】
【０００４】
【特許文献１】特開２００１−３０３９６１号公報(図３参照)
【発明の概要】
【発明が解決しようとする課題】
【０００５】
特許文献１のものでは、湾曲管のコンプレッサ出口パイプに圧縮空気案内ホースの一端部が差し込まれており、このホースの一端部やコンプレッサ出口締付具をコンプレッサ出口パイプと平行な安定姿勢に方向付ける基準となるものがなく、これらが傾いた不安定な姿勢でコンプレッサ出口パイプに組み付けられ、エンジンや過給機の振動でこれらの姿勢が変化し、コンプレッサ出口締付具の締め付け力が低下するおそれがある。
【０００６】
本発明の課題は、コンプレッサ出口締付具の締め付け力が低下しにくい、エンジンの過給装置を提供することにある。
【課題を解決するための手段】
【０００７】
本発明の発明特定事項は、次の通りである。
図３に例示するように、過給機(２)のコンプレッサハウジング(３)に設けられたコンプレッサ出口パイプ(４)と、インタークーラ(６)に設けられたクーラ入口パイプ(７)と、コンプレッサ出口パイプ(４)からクーラ入口パイプ(７)に圧縮空気(８)を案内する圧縮空気案内ホース(９)と、コンプレッサ出口パイプ(４)の外周に圧縮空気案内ホース(９)の一端部(１０)を締め付けて固定するベルト状のコンプレッサ出口締付具(１１)を備え、
図１(Ａ)(Ｄ)に例示するように、直管のコンプレッサ出口パイプ(４)の外周側にコンプレッサ出口パイプ(４)と直交する向きのコンプレッサ出口ホース受面(４ａ)を備え、コンプレッサ出口パイプ(４)に嵌められた圧縮空気案内ホース(９)の一端部(１０)と直交する向きのこの一端部(１０)の端面(１０ａ)がコンプレッサ出口ホース受面(４ａ)で受け止められている、ことを特徴とするエンジンの過給装置。
【発明の効果】
【０００８】
図１(Ａ)(Ｄ)に例示するように、本願発明によれば、コンプレッサ出口ホース受面(４ａ)を基準面として、圧縮空気案内ホース(９)の一端部(１０)とコンプレッサ出口締付具(１１)をコンプレッサ出口パイプ(４)に平行な安定姿勢で組み付けることができ、エンジン(１)や過給機(２)の振動によっても、これらの姿勢が変化しにくく、コンプレッサ出口締付具(１１)の締め付け力が低下しにくい。
【図面の簡単な説明】
【０００９】
【図１】本発明の実施形態に係るエンジンの過給装置を説明する図で、図１(Ａ)はコンプレッサ出口パイプと圧縮空気案内ホースの接続状態の基本例を説明する過給機の一部切欠正面図、図１(Ｂ)は図１(Ａ)のＢ−Ｂ線断面図、図１(Ｃ)は図１(Ａ)のＣ−Ｃ線断面図、図１(Ｄ)は変形例の説明図、図１(Ｅ)は図１(Ｄ)のＥ−Ｅ線断面図である。
【図２】本発明の実施形態に係るエンジンの過給装置を説明する図で、図２(Ａ)はクーラ入口パイプと圧縮空気案内ホースの接続状態の基本例を説明するインタークーラ入口部の一部切欠側面図、図２(Ｂ)は図２(Ａ)のＢ−Ｂ線断面図、図２(Ｃ)は図２(Ａ)のＣ−Ｃ線断面図、図２(Ｄ)は変形例の説明図、図２(Ｅ)は図２(Ｄ)のＥ−Ｅ線断面図である。
【図３】本発明の実施形態に係るエンジンの過給装置を説明する図で、エンジン搭載機械の模式側面図である。
【発明を実施するための形態】
【００１０】
図１〜図３は本発明の実施形態に係るエンジンの過給装置を説明する図で、この実施形態では過給装置を備えたエンジン搭載機械について説明する。
【００１１】
図３に示すエンジン搭載機械(５)は、農業用トラクタで、機体フレーム(１４)と、機体フレーム(１４)に防振ゴム(１５)を介して防振支持されたエンジン(１)と、機体フレーム(１４)にラジエータ支持ステー(１６ａ)とクーラ支持ステー(６ａ)とクリーナステー(１７ａ)をそれぞれ介して支持されたラジエータ(１６)とインタークーラ(６)とエアクリーナ(１７)を備えている。
【００１２】
図３に示すように、エンジン(１)は、多気筒ディーゼルエンジンで、シリンダブロック(１８)と、シリンダブロック(１８)の上部に組み付けられたシリンダヘッド(１９)と、クランク軸(２０)の架設方向を前後方向として、シリンダブロック(１８)の前部に配置された水ポンプ(２１)と、水ポンプ(２１)のポンプ軸(２１ａ)に取り付けられたエンジン冷却ファン(２２)と、シリンダブロック(１８)の後部に配置されたフライホイール(２３)と、シリンダブロック(１８)の下部に組み付けられたオイルパン(２４)と、シリンダヘッド(１９)の幅方向を左右横方向として、シリンダヘッド(１９)の横一側に組み付けられた排気マニホルド(２５)と、排気マニホルド(２５)の上部に組み付けられた過給機(２)と、シリンダヘッド(１９)の横他側に組み付けられた吸気マニホルド(２６)を備えている。
ラジエータ(１６)はエンジン冷却ファン(２２)の前方に配置され、インタークーラ(６)はラジエータ(１６)の前方に配置されている。
【００１３】
図３に示すように、過給機(２)は、タービンハウジング(２７)と、コンプレッサハウジング(３)を備え、タービンハウジング(２７)は、タービン入口(２７ａ)と、タービン出口(２７ｂ)を備え、コンプレッサハウジング(３)は、コンプレッサ入口パイプ(２８)と、コンプレッサ出口パイプ(４)を備えている。
タービン入口(２７ａ)は、排気マニホルド(２５)の排気出口(２５ａ)に固定され、タービン出口(２７ｂ)に、排気中継パイプ(２９)を介して排気処理装置(３０)が固定されている。排気処理装置(３０)内には、ＤＯＣとＤＰＦが収容されている。
ＤＯＣは、ディーゼル酸化触媒の略称、ＤＰＦは、ディーゼルパティキュレートフィルタの略称である。
【００１４】
図３に示すように、エンジンの過給装置は、エアクリーナ(１７)のクリーナ出口パイプ(３１)からコンプレッサ入口パイプ(２８)に浄気(３３)を案内する浄気案内ホース(３４)と、コンプレッサ出口パイプ(４)からインタークーラ(６)のクーラ入口パイプ(７)に圧縮空気(８)を案内する圧縮空気案内ホース(９)と、インタークーラ(６)のクーラ出口パイプ(３５)から吸気マニホルド(２６)のマニホルド吸気入口パイプ(３６)に冷却した圧縮空気(３７)を案内する冷却空気案内ホース(３８)を備えている。
【００１５】
図１(Ａ)〜(Ｅ)に示すコンプレッサ出口パイプ(４)の接続構造は、次の通りである。
まず、図１(Ａ)〜(Ｃ)に示す基本例について説明する。
図３に示すように、エンジンの過給装置は、過給機(２)のコンプレッサハウジング(３)に設けられたコンプレッサ出口パイプ(４)と、インタークーラ(６)に設けられたクーラ入口パイプ(７)と、コンプレッサ出口パイプ(４)からクーラ入口パイプ(７)に圧縮空気(８)を案内する圧縮空気案内ホース(９)と、コンプレッサ出口パイプ(４)の外周に圧縮空気案内ホース(９)の一端部(１０)を締め付けて固定するベルト状のコンプレッサ出口締付具(１１)を備えている。
【００１６】
図１(Ａ)に示すように、直管のコンプレッサ出口パイプ(４)の外周側にコンプレッサ出口パイプ(４)と直交する向きのコンプレッサ出口ホース受面(４ａ)を備え、コンプレッサ出口パイプ(４)に嵌められた圧縮空気案内ホース(９)の一端部(１０)と直交する向きのこの一端部(１０)の端面(１０ａ)がコンプレッサ出口ホース受面(４ａ)で受け止められている。
コンプレッサ出口パイプ(４)と直交する向きとは、コンプレッサ出口パイプ(４)の中心軸線(４ｄ)と直交する向きをいう。
圧縮空気案内ホース(９)の一端部(１０)も直管で形成され、圧縮空気案内ホース(９)の一端部(１０)と直交する向きとは、圧縮空気案内ホース(９)の一端部(１０)の中心軸線(１０ｃ)と直交する向きをいう。
【００１７】
この基本例によれば、図１(Ａ)に示すように、コンプレッサ出口パイプ(４)に圧縮空気案内ホース(９)の一端部(１０)を差し込む際、上記一端部(１０)の端面(１０ａ)をコンプレッサ出口ホース受面(４ａ)で受け止めさせると、上記一端部(１０)の姿勢がコンプレッサ出口パイプ(４)と平行な安定姿勢になるように方向付けられ、上記一端部(１０)の端面(１０ａ)の外周縁(１０ｂ)またはコンプレッサ出口ホース受面(４ａ)の外周縁(４ｃ)に沿うようにベルト状のコンプレッサ出口締付具(１１)の姿勢を定めると、このコンプレッサ出口締付具(１１)がコンプレッサ出口パイプ(４)と平行な安定姿勢になるように方向付けられ、このコンプレッサ出口締付具(１１)で上記一端部(１０)を締め付けると、上記一端部(１０)がコンプレッサ出口パイプ(４)と直交する適正方向に締め付けられる。
コンプレッサ出口パイプ(４)と直交する適正方向とは、コンプレッサ出口パイプ(４)の中心軸線(４ｄ)と直交するコンプレッサ出口パイプ(４)の径方向をいう。
【００１８】
このように、コンプレッサ出口ホース受面(４ａ)を基準面として、圧縮空気案内ホース(９)の一端部(１０)とコンプレッサ出口締付具(１１)をコンプレッサ出口パイプ(４)に平行な安定姿勢で組み付けることができ、エンジン(１)や過給機(２)の振動によっても、これらの姿勢が変化しにくく、コンプレッサ出口締付具(１１)の締め付け力が低下しにくい。
【００１９】
図１(Ａ)に示すように、この基本例では、コンプレッサ出口ホース受面(４ａ)に圧縮空気案内ホース(９)の一端部(１０)の端面(１０ａ)の全周が受け止められている。
このため、この基本例では、図１(Ａ)に示すように、圧縮空気案内ホース(９)の一端部(１０)の姿勢をコンプレッサ出口パイプ(４)と平行な安定姿勢になるように方向付けることができる。
図１(Ａ)(Ｃ)に示すように、コンプレッサ出口ホース受面(４ａ)は全周が凹凸のない平坦面で形成されている。
【００２０】
図１(Ａ)(Ｃ)に示すように、この基本例では、コンプレッサ出口パイプ(４)の外周側に設けられたコンプレッサ出口フランジ(４ｂ)にコンプレッサ出口ホース受面(４ａ)が形成されている。
このため、この基本例では、図１(Ａ)(Ｃ)に示すように、コンプレッサハウジング(３)にコンプレッサ出口ホース受面(４ａ)を形成する余裕がない場合でも、コンプレッサ出口フランジ(４ｂ)を利用してコンプレッサ出口ホース受面(４ａ)を形成することができる。
【００２１】
次に、図１(Ｄ)(Ｅ)に示す変形例について説明する。
図１(Ａ)(Ｂ)に示す基本例では、コンプレッサ出口ホース受面(４ａ)に圧縮空気案内ホース(９)の一端部(１０)の端面(１０ａ)の全周が受け止められているのに対し、図１(Ｄ)(Ｅ)に示す変形例では、コンプレッサ出口パイプ(４)の周方向に所定間隔を介して分離された複数のコンプレッサ出口ホース受面(４ａ)に、圧縮空気案内ホース(９)の一端部(１０)の端面(１０ａ)の複数箇所が受け止められている。
このため、基本例と同様、この変形例でも、図１(Ｄ)に示すように、圧縮空気案内ホース(９)の一端部(１０)の姿勢がコンプレッサ出口パイプ(４)と平行な安定姿勢になるように方向付けられる。
図１(Ｄ)(Ｅ)に示すように、コンプレッサ出口ホース受面(４ａ)は、隣り合うコンプレッサ出口ホース受面(４ａ)(４ａ)間の平面よりも隆起した平面で構成され、これらの凹凸がコンプレッサ出口フランジ(４ｂ)に形成されている。
【００２２】
この変形例では、コンプレッサ出口フランジ(４ｂ)の周方向に９０°毎に配置された合計４個のコンプレッサ出口ホース受面(４ａ)に、圧縮空気案内ホース(９)の一端部(１０)の端面(１０ａ)の４箇所が受け止められている。
この変形例では、コンプレッサ出口フランジ(４ｂ)の周方向に略等間隔で合計３個以上のコンプレッサ出口ホース受面(４ａ)を形成するのが望ましい。
他の構成は、図１(Ａ)〜(Ｃ)に示す基本例と同じであり、図１(Ｄ)(Ｅ)中、基本例と同一の要素には、図１(Ａ)〜(Ｃ)と同じ符号を付しておく。
【００２３】
図１(Ａ)〜(Ｅ)に示すコンプレッサ出口パイプ(４)の接続構造の基本例、変形例は、更に次の構成を備えている。
図１(Ａ)(Ｄ)に示すように、コンプレッサハウジング(３)とコンプレッサ出口パイプ(４)とコンプレッサ出口フランジ(４ｂ)は、鋳鉄の鋳造一体成型品で、コンプレッサ出口パイプ(４)の内周面(４ｅ)は、コンプレッサハウジング(３)の内周面(３ａ)からコンプレッサ出口パイプ(４)の開口端(４ｆ)に向けて拡開された段差のないテーパ面でに形成されている。
圧縮空気案内ホース(９)の素材には、アクリルゴムが用いられている。
コンプレッサ出口締付具(１１)は、ベルト(１１ａ)と、これを締め付けるボルトナット(１１ｂ)を備え、ベルト(１１ａ)の素材には、ステンレス鋼(ＳＵＳ３０４)が用いられ、ボルトナット(１１ｂ)の素材には、ステンレス鋼(ＳＵＳ３０４)が用いられている。
【００２４】
図２(Ａ)〜(Ｅ)に示すように、クーラ入口パイプ(７)の接続構造は、次の通りである。
まず、図２(Ａ)〜(Ｃ)に示す基本例について説明する。
図３に示すように、エンジンの過給装置は、一端部(１０)にコンプレッサ出口パイプ(４)を接続した圧縮空気案内ホース(９)と、この圧縮空気案内ホース(９)の他端部(１２)をクーラ入口パイプ(７)に締め付けて固定するベルト状のクーラ入口締付具(１３)を備えている。
【００２５】
図２(Ａ)に示すように、直管のクーラ入口パイプ(７)の外周側にクーラ入口パイプ(７)と直交する向きのクーラ入口ホース受面(７ａ)を備え、クーラ入口パイプ(７)に嵌められた圧縮空気案内ホース(９)の他端部(１２)と直交する向きのこの他端部(１２)の端面(１２ａ)がクーラ入口ホース受面(７ａ)で受け止められている。
クーラ入口パイプ(７)と直交する向きとは、クーラ入口パイプ(７)の中心軸線(７ｄ)と直交する向きをいう。
圧縮空気案内ホース(９)の他端部(１２)も直管で形成され、圧縮空気案内ホース(９)の他端部(１２)と直交する向きとは、圧縮空気案内ホース(９)の他端部(１２)の中心軸線(１２ｃ)と直交する向きをいう。
【００２６】
この基本例によれば、図２(Ａ)に示すように、クーラ入口パイプ(７)に圧縮空気案内ホース(９)の他端部(１２)を差し込む際、上記他端部(１２)の端面(１２ａ)をクーラ入口ホース受面(７ａ)で受け止めさせると、上記他端部(１２)の姿勢がクーラ入口パイプ(７)と平行な安定姿勢になるように方向付けられ、上記他端部(１２)の端面(１２ａ)の外周縁(１２ｂ)またはクーラ入口ホース受面(７ａ)の外周縁(７ｃ)に沿うようにベルト状のクーラ入口締付具(１３)の姿勢を定めると、このクーラ入口締付具(１３)がクーラ入口パイプ(７)と平行な安定姿勢になるように方向付けられ、このクーラ入口締付具(１３)で上記他端部(１２)を締め付けると、上記他端部(１２)がクーラ入口パイプ(７)と直交する適正方向に締め付けられる。
クーラ入口パイプ(７)と直交する適正方向とは、クーラ入口パイプ(７)の中心軸線(７ｄ)と直交するクーラ入口パイプ(７)の径方向をいう。
【００２７】
このように、クーラ入口ホース受面(７ａ)を基準面として、圧縮空気案内ホース(９)の他端部(１２)とクーラ入口締付具(１３)をクーラ入口パイプ(７)に平行な安定姿勢で組み付けることができ、エンジン(１)の振動によっても、これらの姿勢が変化しにくく、クーラ入口締付具(１３)の締め付け力が低下しにくい。
【００２８】
図２(Ａ)に示すように、この基本例では、クーラ入口ホース受面(７ａ)に圧縮空気案内ホース(９)の他端部(１２)の端面(１２ａ)の全周が受け止められている。
このため、この基本例では、図２(Ａ)に示すように、圧縮空気案内ホース(９)の他端部(１２)の姿勢をクーラ入口パイプ(７)と平行な安定姿勢になるように方向付けることができる。
図２(Ａ)(Ｃ)に示すように、クーラ入口ホース受面(７ａ)は全周が凹凸のない平坦面で形成されている。
【００２９】
図２(Ａ)(Ｃ)に示すように、この基本例では、クーラ入口パイプ(７)の外周側に設けられたクーラ入口フランジ(７ｂ)にクーラ入口ホース受面(７ａ)が形成されている。
このため、この基本例では、図２(Ａ)(Ｃ)に示すように、インタークーラ(６)にクーラ入口ホース受面(７ａ)を形成する余裕がない場合でも、クーラ入口フランジ(７ｂ)を利用してクーラ入口ホース受面(７ａ)を形成することができる。
【００３０】
次に、図２(Ｄ)(Ｅ)に示す変形例について説明する。
図２(Ａ)(Ｂ)に示す基本例では、クーラ入口ホース受面(７ａ)に圧縮空気案内ホース(９)の他端部(１２)の端面(１２ａ)の全周が受け止められているのに対し、図２(Ｄ)(Ｅ)に示す変形例では、クーラ入口パイプ(７)の周方向に所定間隔を介して分離された複数のクーラ入口ホース受面(７ａ)に、圧縮空気案内ホース(９)の他端部(１２)の端面(１２ａ)の複数箇所が受け止められている。
このため、基本例と同様、この変形例でも、図２(Ｄ)に示すように、圧縮空気案内ホース(９)の他端部(１２)の姿勢がクーラ入口パイプ(７)と平行な安定姿勢になるように方向付けられる。
図２(Ｄ)(Ｅ)に示すように、クーラ入口ホース受面(７ａ)は、隣り合うクーラ入口ホース受面(７ａ)(７ａ)間の平面よりも隆起した平面で構成され、これらの凹凸がクーラ入口フランジ(７ｂ)に形成されている。
【００３１】
この変形例では、クーラ入口フランジ(７ｂ)の周方向に９０°毎に配置された合計４個のクーラ入口ホース受面(７ａ)に、圧縮空気案内ホース(９)の他端部(１２)の端面(１２ａ)の４箇所が受け止められている。
この変形例では、クーラ入口フランジ(７ｂ)の周方向に略等間隔で合計３個以上のクーラ入口ホース受面(７ａ)を形成するのが望ましい。
コンプレッサ出口締付具(１１)と同様、クーラ入口締付具(１３)は、ベルト(１３ａ)と、これを締め付けるボルトナット(１３ｂ)を備え、ベルト(１３ａ)とボルトナット(１３ｂ)の素材には、コンプレッサ出口締付具(１１)のベルト(１１ａ)とボルトナット(１１ｂ)の素材と同じものが用いられている。
クーラ入口パイプ(７)とクーラ入口フランジ(７ｂ)は金属の一体成形品である。
他の構成は、図２(Ａ)〜(Ｃ)に示す基本例と同じであり、図２(Ｄ)(Ｅ)中、基本例と同一の要素には、図２(Ａ)〜(Ｃ)と同じ符号を付しておく。
【００３２】
図３に示すように、冷却空気案内ホース(３８)とクーラ出口パイプ(３５)の接続構造、冷却空気案内ホース(３８)とマニホルド吸気入口パイプ(３６)の接続構造、浄気案内ホース(３４)とクリーナ出口パイプ(３１)の接続構造、浄気案内ホース(３４)とコンプレッサ入口パイプ(２８)の接続構造も、図１(Ａ)〜(Ｅ)、図２(Ａ)〜(Ｅ)と同様の構造が採用されている。
【００３３】
図３に示すクーラ出口パイプ(３５)の接続構造は、次の通りである。
図３に示すように、エンジンの過給装置は、インタークーラ(６)に設けられたクーラ出口パイプ(３５)と、クーラ出口パイプ(３５)からマニホルド吸気入口パイプ(３６)に冷却した圧縮空気(３７)を案内する冷却空気案内ホース(３８)と、クーラ出口パイプ(３５)の外周に冷却空気案内ホース(３８)の一端部(３９)を締め付けて固定するベルト状のクーラ出口締付具(４０)を備えている。
図３に示すように、直管のクーラ出口パイプ(３５)の外周側にクーラ出口パイプ(３５)と直交する向きのクーラ出口ホース受面(３５ａ)を備え、クーラ出口パイプ(３５)に嵌められた冷却空気案内ホース(３８)の一端部(３９)と直交する向きのこの一端部(３９)の端面(３９ａ)がクーラ出口ホース受面(３５ａ)で受け止められている。
冷却空気案内ホース(３８)の一端部(３９)も直管で構成されている。
冷却空気案内ホース(３８)の素材には、アクリルゴムが用いられている。
クーラ出口締付具(４０)には、コンプレッサ出口締付具(１１)と同じものが用いられている。
【００３４】
クーラ出口ホース受面(３５ａ)に冷却空気案内ホース(３８)の一端部(３９)の端面(３９ａ)が全周に亘って受け止められている。
クーラ出口パイプ(３５)の周方向に所定間隔を介して分離された複数のクーラ出口ホース受面(３５ａ)に、冷却空気案内ホース(３８)の一端部(３９)の端面(３９ａ)の複数箇所が受け止められているものであってもよい。
クーラ出口パイプ(３５)の外周側に設けられたクーラ出口フランジ(３５ｂ)にクーラ出口ホース受面(３５ａ)が形成されている。
クーラ出口パイプ(３５)とクーラ出口フランジ(３５ｂ)は金属の一体成形品である。
【００３５】
図３に示すマニホルド吸気入口パイプ(３６)の接続構造は、次の通りである。
図３に示すように、エンジンの過給装置は、一端部(３９)をクーラ出口パイプ(３５)に接続した冷却空気案内ホース(３８)と、冷却空気案内ホース(３８)の他端部(４１)をマニホルド吸気入口パイプ(３６)の外周に締め付けて固定するベルト状のマニホルド吸気入口締付具(４２)を備えている。
図３に示すように、直管のマニホルド吸気入口パイプ(３６)の外周側にマニホルド吸気入口パイプ(３６)と直交する向きのマニホルド吸気入口ホース受面(３６ａ)を備え、マニホルド吸気入口パイプ(３６)に嵌められた冷却空気案内ホース(３８)の他端部(４１)と直交する向きのこの他端部(４１)の端面(４１ａ)がマニホルド吸気入口ホース受面(３６ａ)で受け止められている。
冷却空気案内ホース(３８)の他端部(４１)も直管で構成されている。
マニホルド吸気入口締付具(４２)には、コンプレッサ出口締付具(１１)と同じものが用いられている。
【００３６】
マニホルド吸気入口ホース受面(３６ａ)に冷却空気案内ホース(３８)の他端部(４１)の端面(４１ａ)が全周に亘って受け止められている。
マニホルド吸気入口パイプ(３６)の周方向に所定間隔を介して分離された複数のマニホルド吸気入口ホース受面(３６ａ)に、冷却空気案内ホース(３８)の他端部(４１)の端面(４１ａ)の複数箇所が受け止められているものであってもよい。
マニホルド吸気入口パイプ(３６)の外周側に設けられたマニホルド吸気入口フランジ(３６ｂ)にマニホルド吸気入口ホース受面(３６ａ)が形成されている。
マニホルド吸気入口パイプ(３６)とマニホルド吸気入口フランジ(３６ｂ)とは金属の一体成形品である。
【００３７】
図３に示すクリーナ出口パイプ(３１)の接続構造は、次の通りである。
図３に示すように、エンジンの過給装置は、エアクリーナ(１７)に設けられたクリーナ出口パイプ(３１)と、クリーナ出口パイプ(３１)からコンプレッサ入口パイプ(２８)に浄気(３３)を案内する浄気案内ホース(３４)と、クリーナ出口パイプ(３１)の外周に浄気案内ホース(３４)の一端部(４３)を締め付けて固定するベルト状のクリーナ出口締付具(４４)を備えている。
図３に示すように、直管のクリーナ出口パイプ(３１)の外周側にクリーナ出口パイプ(３１)と直交する向きのクリーナ出口ホース受面(３１ａ)を備え、クリーナ出口パイプ(３１)に嵌められた浄気案内ホース(３４)の一端部(４３)と直交する向きのこの一端部(４３)の端面(４３ａ)がクリーナ出口ホース受面(３１ａ)で受け止められている。
浄気案内ホース(３４)の一端部(４３)も直管で形成されている。
浄気案内ホース(３４)の素材には、アクリルゴムが用いられている。
クリーナ出口締付具(４４)には、コンプレッサ出口締付具(１１)と同じものが用いられている。
【００３８】
クリーナ出口ホース受面(３１ａ)に浄気案内ホース(３４)の一端部(４３)の端面(４３ａ)が全周に亘って受け止められている。
クリーナ出口パイプ(３１)の周方向に所定間隔を介して分離された複数のクリーナ出口ホース受面(３１ａ)に、浄気案内ホース(３４)の一端部(４３)の端面(４３ａ)の複数箇所が受け止められているものであってもよい。
クリーナ出口パイプ(３１)の外周側に設けられたクリーナ出口フランジ(３１ｂ)にクリーナ出口ホース受面(３１ａ)が形成されている。
クリーナ出口パイプ(３１)とクリーナ出口フランジ(３１ｂ)とは金属の一体成形品である。
【００３９】
図３に示すコンプレッサ入口パイプ(２８)の接続構造は、次の通りである。
図３に示すように、エンジンの過給装置は、一端部(４３)をクリーナ出口パイプ(４７)に接続した浄気案内ホース(３４)と、コンプレッサ入口パイプ(２８)の外周に浄気案内ホース(３４)の他端部(４５)を締め付けて固定するベルト状のコンプレッサ入口締付具(４６)を備えている。
図３に示すように、直管のコンプレッサ入口パイプ(２８)の外周側にコンプレッサ入口パイプ(２８)と直交する向きのコンプレッサ入口ホース受面(２８ａ)を備え、コンプレッサ入口パイプ(２８)に嵌められた浄気案内ホース(３４)の他端部(４５)と直交する向きのこの他端部(４５)の端面(４５ａ)がコンプレッサ入口ホース受面(２８ａ)で受け止められている。
浄気案内ホース(３４)の他端部(４５)も直管で形成されている。
コンプレッサ入口締付具(４６)には、コンプレッサ出口締付具(１１)と同じものが用いられている。
【００４０】
コンプレッサ入口ホース受面(２８ａ)に浄気案内ホース(３４)の他端部(４５)の端面(４５ａ)が全周に亘って受け止められている。
コンプレッサ入口パイプ(２８)の周方向に所定間隔を介して分離された複数のコンプレッサ入口ホース受面(２８ａ)に、浄気案内ホース(３４)の他端部(４５)の端面(４５ａ)の複数箇所が受け止められているものであってもよい。
コンプレッサ入口パイプ(２８)の外周側に設けられたコンプレッサ入口フランジ(２８ｂ)にコンプレッサ入口ホース受面(２８ａ)が形成されている。
コンプレッサ入口パイプ(２８)とコンプレッサ入口フランジ(２８ｂ)は金属の一体成形品である。
【００４１】
エンジン搭載機械(５)は、農業用トラクタに限らず、コンバイン等の農業機械や、バックホー等の建設機械であってもよい。エンジン(１)は火花点火式エンジンであってもよい。
【符号の説明】
【００４２】
(２)…過給機、(３)…コンプレッサハウジング、(４)…コンプレッサ出口パイプ、 (４ａ)…コンプレッサ出口ホース受面、(４ｂ)…コンプレッサ出口フランジ、(４ｃ)…外周縁、(６)…インタークーラ、(７)…クーラ入口パイプ、(８)…圧縮空気、(９)…圧縮空気案内ホース、(１０)…一端部、 (１０ａ)…端面、(１０ｂ)…外周縁、(１１)…コンプレッサ出口締付具。
【図１】
2019044665.tif 000003
【図２】
2019044665.tif 000004
【図３】
2019044665.tif 000005